(57)【特許請求の範囲】
【請求項１】
回転に伴い水分を吸着する吸着域と水分を放出する再生域とに区分される除湿ロータと、浴室内に連通できる吸引口から分岐用ダンパーへ至る途中に吸気用送風機を配した吸気用送風路と、分岐用ダンパーから分岐して浴室外に連通できる排気用送風路と、分岐用ダンパーから分岐して除湿ロータの吸着域を通過して浴室内に連通できる吹出口へ至る除湿用送風路と、除湿ロータの再生域を通過する再生用送風路と、吸気用送風機のモータ及び分岐用ダンパーの切替操作具を制御する制御装置とを備えた浴室用除湿装置において、制御装置は、除湿スタートの指令に基づいて、吸気用送風路と除湿用送風路を連通させるように分岐用ダンパーの切替操作具を操作すると共に吸気用送風機のモータを起動させる除湿動作と、吸気用送風路と排気用送風路を連通させるように分岐用ダンパーの切替操作具を操作すると共に吸気用送風機のモータの起動時間として異臭排出のための既定時間を少なくとも確保する換気動作と、吸気用送風機のモータを停止させる換気停止動作とをこの順番で強制的に実行させるように回路構成してあることを特徴とする浴室用除湿装置。
【請求項２】
前記制御装置は、前記既定時間に延長時間を加算した時間を換気動作時における吸気用送風機のモータの起動時間とする換気時間延長部を備えた請求項１に記載の浴室用除湿装置。
【請求項３】
前記制御装置は、室内用温度センサと、浴室内設定温度値を設定する温度設定部と、除湿動作終了後の浴室内温度センサの測定値が温度設定部の設定した浴室内設定温度値に達するまで換気動作を実行させる温度制御部とを備え、換気動作の実行時間を積算した積算時間が異臭排出のための既定時間に満たないときに換気動作時における吸気用送風機のモータの起動時間を既定時間に達するまで延長させるようにした請求項１に記載の浴室用除湿装置。
【請求項４】
前記制御装置は、外気用温度センサと、各種の外気温度値に対する最適浴室内温度値を定めた外気・浴室内温度関係を記憶する記憶部とを備え、前記温度設定部は、記憶部の記憶する外気・浴室内温度関係に外気用温度センサの検知した外気温度値を適用して自動的に求めた最適浴室内温度値を前記浴室内設定温度値とするように回路構成してある請求項３に記載の浴室用除湿装置。
【請求項５】
回転に伴い水分を吸着する吸着域と水分を放出する再生域とに区分される除湿ロータと、浴室内に連通できる吸引口から分岐用ダンパーへ至る途中に吸気用送風機を配した吸気用送風路と、分岐用ダンパーから分岐して浴室外に連通できる排気用送風路と、分岐用ダンパーから分岐して除湿ロータの吸着域を通過して浴室内に連通できる吹出口へ至る除湿用送風路と、除湿ロータの再生域を通過する再生用送風路と、吸気用送風機のモータ及び分岐用ダンパーの切替操作具を制御する制御装置とを備えた浴室用除湿装置において、制御装置は、排気用送風路を通過する風量を積算する風量積算部を備え、除湿スタートの指令に基づいて、吸気用送風路と除湿用送風路を連通させるように分岐用ダンパーの切替操作具を操作すると共に吸気用送風機のモータを起動させる除湿動作と、吸気用送風路と排気用送風路を連通させるように分岐用ダンパーの切替操作具を操作すると共に風量積算部の積算した換気体積値が異臭排出のための既定体積値に達するまで吸気用送風機のモータを起動させる換気動作と、吸気用送風機のモータを停止させる換気停止動作とをこの順番で強制的に実行させるように回路構成してあることを特徴とする浴室用除湿装置。
【発明の詳細な説明】
【技術分野】
【０００１】
本発明は、水分を吸着して除湿する除湿ロータを用いた浴室用除湿装置に関するものである。
【背景技術】
【０００２】
従来、除湿ロータを用いた浴室用除湿装置には、回転に伴い水分を吸着する吸着域と水分を放出する再生域とに区分される除湿ロータと、浴室内に連通できる吸引口から分岐用ダンパーへ至る途中に吸気用送風機を配した吸気用送風路と、分岐用ダンパーから分岐して浴室外に連通できる排気口へ至る排気用送風路と、分岐用ダンパーから分岐して除湿ロータの吸着域を通過して浴室内に連通できる吹出口へ至る除湿用送風路と、除湿ロータの再生域を通過する再生用送風路とを備えたものがある（特許文献１）。
【先行技術文献】
【特許文献】
【０００３】
【特許文献１】特開平８−３２７１１６号公報
【発明の概要】
【発明が解決しようとする課題】
【０００４】
ところで、除湿ロータに用いられる吸着剤が異臭成分を吸着して残存させているときには、除湿動作中に吸着剤へ吸着せる水分と異臭成分とを置換して、不快に感じさせる程の異臭を除湿用送風路の吹出口から浴室内へ放出させ、浴室除湿動作終了後の浴室内に異臭を残留させる問題を招くことがある。
【０００５】
本発明は、浴室除湿動作終了後の浴室内に残留している異臭を排出して快適な入浴を確保させるための浴室用除湿装置の提供を目的とする。
【課題を解決するための手段】
【０００６】
浴室内に残留している異臭を排出して快適な入浴を確保できるようにするために請求項１記載の本発明が採用した手段は、図１乃至図３に示す如く、回転に伴い水分を吸着する吸着域６ａと水分を放出する再生域６ｂとに区分される除湿ロータ６と、浴室内２ａに連通できる吸引口７から分岐用ダンパー８へ至る途中に吸気用送風機９を配した吸気用送風路１０と、分岐用ダンパー８から分岐して浴室外５に連通できる排気用送風路１２と、分岐用ダンパー８から分岐して除湿ロータ６の吸着域６ａを通過して浴室内２に連通できる吹出口１３へ至る除湿用送風路１４と、除湿ロータ６の再生域６ｂを通過する再生用送風路１５と、吸気用送風機９のモータ９ｂ及び分岐用ダンパー８の切替操作具８ｂを制御する制御装置１６とを備えた浴室用除湿装置において、制御装置１６は、除湿スタートの指令に基づいて、吸気用送風路１０と除湿用送風路１４を連通させるように分岐用ダンパー８の切替操作具８ｂを操作すると共に吸気用送風機９のモータ９ｂを起動させる除湿動作と、吸気用送風路１０と排気用送風路１２を連通させるように分岐用ダンパー８の切替操作具８ｂを操作すると共に吸気用送風機９のモータ９ｂの起動時間Ｔｓとして異臭排出のための既定時間Ｔｏを少なくとも確保する換気動作と、吸気用送風機９のモータ９ａを停止させる換気停止動作とをこの順番で強制的に実行させるように回路構成してあることを特徴とする浴室用除湿装置である。
【０００７】
請求項１記載の本発明にあっては、除湿動作の後で必ず実行する換気動作により、分岐用ダンパー８で吸気用送風路１０と排気用送風路１２を連通させた状態で吸気用送風機９のモータ９ｂについて異臭排出のための既定時間Ｔｏを少なくとも起動させることで、浴室内２ａの空気と共に残留している異臭を浴室外５へ排除して浴室内２ａを換気できる。    
【０００８】
換気動作の時間を任意に延長できるようにするために請求項２記載の本発明が採用した手段は、図４に示す如く、前記制御装置１６は、前記既定時間Ｔｏに延長時間Ｔｂを加算した時間を換気動作時における吸気用送風機９のモータ９ａの起動時間Ｔｓとする換気時間延長部を備えた請求項１に記載の浴室用除湿装置である。
【０００９】
請求項２記載の本発明にあっては、換気動作における吸気用送風機９のモータ９ｂの起動時間Ｔｓとして、異臭排出のための既定時間Ｔｏを確保させて延長時間Ｔｂを延長できるので、浴室内２ａに異臭を残留させることがない。
【００１０】
除湿動作後の昇温した浴室内の温度を快適な温度にできるようにするために請求項３記載の本発明が採用した手段は、図５に示す如く、前記制御装置１６は、室内用温度センサ３０と、浴室内設定温度値Ｓｏを設定する温度設定部３１と、除湿動作終了後の浴室内温度センサ３０の測定値Ｓｂが温度設定部３１の設定した浴室内設定温度値Ｓｏに達するまで換気動作を実行させる温度制御部３２とを備え、換気動作の実行時間を積算した積算時間が異臭排出のための既定時間Ｔｏに満たないときに換気動作時における吸気用送風機９のモータ９ａの起動時間Ｔｓを既定時間Ｔｏに達するまで延長させるようにした請求項１に記載の浴室用除湿装置である。
【００１１】
請求項３記載の本発明にあっては、異臭排出のための既定時間Ｔｏを確保しつつ、除湿動作後の昇温した浴室内温度値Ｓｂが浴室内設定温度値Ｓｏに達するまで換気動作を実行せることができる。
【００１２】
浴室内設定温度値を自動的に最適浴室内温度値に設定できるようにするために請求項４記載の本発明が採用した手段は、図６に示す如く、前記制御装置１６は、外気用温度センサ３５と、各種の外気温度値Ｓａに対する最適浴室内温度値Ｓｏを定めた外気・浴室内温度関係を記憶する記憶部３６とを備え、前記温度設定部３１は、記憶部３０の記憶する外気・浴室内温度関係に外気用温度センサ３５の検知した外気温度値Ｓａを適用して自動的に求めた最適浴室内温度値Ｓｏを前記浴室内設定温度値Ｓｏとするように回路構成してある請求項３に記載の浴室用除湿装置である。
【００１３】
請求項４記載の本発明にあっては、浴室内設定温度値Ｓｏを外気温度値Ｓａに基づいて自動的に最適浴室内温度値Ｓｏに設定することができる。
【００１４】
開閉窓や出入口扉の開度等で換気条件が変更になったとしても残留している異臭を確実に排出できるようにするために請求項５記載の本発明が採用した手段は、図１及び図７に示す如く、回転に伴い水分を吸着する吸着域６ａと水分を放出する再生域６ｂとに区分される除湿ロータ６と、浴室内２ａに連通できる吸引口７から分岐用ダンパー８へ至る途中に吸気用送風機９を配した吸気用送風路１０と、分岐用ダンパー８から分岐して浴室外５に連通できる排気用送風路１２と、分岐用ダンパー８から分岐して除湿ロータ６の吸着域６ａを通過して浴室内２に連通できる吹出口１３へ至る除湿用送風路１４と、除湿ロータ６の再生域６ｂを通過する再生用送風路１５と、吸気用送風機９のモータ９ｂ及び分岐用ダンパー８の切替操作具８ｂを制御する制御装置１６とを備えた浴室用除湿装置において、制御装置１６は、排気用送風路１２を通過する風量を積算する風量積算部３８を備え、除湿スタートの指令に基づいて、吸気用送風路１０と除湿用送風路１４を連通させるように分岐用ダンパー８の切替操作具８ｂを操作すると共に吸気用送風機９のモータ９ｂを起動させる除湿動作と、吸気用送風路１０と排気用送風路１２を連通させるように分岐用ダンパー８の切替操作具８ｂを操作すると共に風量積算部３８の積算した換気体積値Ｕａが異臭排出のための既定体積値に達するまで吸気用送風機９のモータ９ｂを起動させる換気動作と、吸気用送風機９のモータ９ａを停止させる換気停止動作とをこの順番で強制的に実行させるように回路構成してあることを特徴とする浴室用除湿装置である。
【００１５】
請求項５記載の本発明にあっては、換気体積値Ｕａが異臭排出のための既定体積値に達するまで換気動作を実行させることで、異臭を排除するための換気体積を確保できる。
【発明の効果】
【００１６】
請求項１記載の本発明に係る浴室用除湿装置は、除湿動作の後で必ず実行される換気動作で浴室内の空気と共に残留している異臭を浴室外へ排除することで、快適な入浴を確保させることができる。
【００１７】
請求項２記載の本発明に係る浴室用除湿装置は、異臭排出のための既定時間を確保させた上で、除湿後の浴室内の温度調節等のために換気動作の時間を延長させることが可能となる。
【００１８】
請求項３記載の本発明に係る浴室用除湿装置は、異臭排出のための既定時間を確保させた上で、除湿動作後の昇温した浴室内温度を設定した浴室内設定温度値にできる。
【００１９】
請求項４記載の本発明に係る浴室用除湿装置は、異臭排出のための既定時間を確保させた上で、除湿動作後の昇温した浴室内の温度を、外気温度値に基づいて自動的に定めた快適な浴室内設定温度値にできる。
【００２０】
請求項５記載の本発明に係る浴室用除湿装置は、異臭を排除するための換気体積を確保することで、開閉窓や出入口扉の開度の程度で換気条件が変更になったとしても残留している異臭を確実に排出できる。
【図面の簡単な説明】
【００２１】
【図１】本発明に係る浴室用除湿装置（以下、「本発明浴室用除湿装置」と言う。）１を浴室に設置した第１の実施の形態を示す概略図である。
【図２】同実施の形態に係る本発明除湿装置１を示すものであって、図（Ａ）は断面した正面図、図（Ｂ）は背面図である。
【図３】図（Ａ）は同実施の形態における制御装置１６を示すブロック図、図（Ｂ）は吸引用送風機９のモータ９ａのタイミングチャートである。
【図４】図（Ａ）は換気時間延長部２８を備えた制御装置１６を示すブロック図、図（Ｂ）は吸引用送風機９のモータ９ｂのタイミングチャートである。
【図５】浴室内の温度を設定できる温度設定部３１を備えた制御装置１６を示すブロック図である。
【図６】外気温度に基づいて浴室内の温度を自動的に設定できる温度設定部３１を備えた制御装置１６を示すブロック図である。
【図７】換気動作時における排気用送風路１２を通過する風量を積算する風量積算部３８を備えた制御装置１６を示すブロック図である。
【図８】第４の実施の形態に係る本発明浴室用除湿装置５１を浴室に設置した概略図である。
【発明を実施するための形態】
【００２２】
（第１の実施の形態）
図１及び図２に示す第１の実施の形態に係る本発明除湿装置１を備えた浴室２は、浴室内２ａに浴槽２４を配置すると共に、開閉窓３及び出入口扉４を備え、天井２５の裏側に本発明除湿装置１を配置してある。
【００２３】
本発明除湿装置１は、回転に伴い水分を吸着する吸着域６ａと吸着した水分を放湿する再生域６ｂとに区分される除湿ロータ６と、浴室内２ａに連通できる吸引口７から分岐用ダンパー８へ至る途中に吸気用送風機９を配した吸気用送風路１０と、分岐用ダンパー８から分岐して浴室外５に連通できる排気用送風路１２と、分岐用ダンパー８から分岐して除湿ロータ６の吸着域６ａを通過して浴室内２に連通できる吹出口１３へ至る除湿用送風路１４と、浴室内２ａに連通できる再生用吸引口２０から延びて浴室外５に連通できる送風路の途中で上流側の再生用ヒータ１８及び下流側の除湿ロータ６の再生域６ｂを通過する再生用送風路１５と、再生用送風路１５に配した再生用送風機１７と、吸気用送風機９のモータ９ｂ、再生用送風機１７のモータ１７ｂ及び分岐用ダンパー８の切替操作具８ｂを制御する制御装置１６とを備えている。吸気用送風機９は、送風量が１３０ｍ3 ／ｈ程度のものが採用され、再生用送風機１７は、送風量が１０ｍ3 ／ｈ程度のものが採用される。
【００２４】
本例の本発明除湿装置１は、浴室内２ａに臨ませるグリル２３と、外側を形成するケーシグ１９を備え、グリル２３に吸引口７、吹出口１３及び再生用吸引口２０を開設してある。ケーシグ１８は、その内側に、除湿ロータ６、吸気用送風機９のファンロータ９ａ、再生用送風機１７のファンロータ１７ａ、分岐用ダンパー８のダンパー羽根を有する本体８ａ及び再生用ヒータ１８を内蔵すると共に、吸気用送風路１０、除湿用送風路１４、排気用送風路１２及び再生用送風路１４をダクト等で区画するように形成してある。また、ケーシグ１８は、その外側に、吸気用送風機９のモータ９ｂ、再生用送風機１７のモータ１６ｂ及び分岐用ダンパー８のサーボモータ又はマグネット等からなるダンパー切替操作具８ｂを露出させると共に、排気用送風路１２及び再生用送風路１５の各下流端の接続する排気口１１を開口させてある。排気口１１は、浴室外５に連通する延長排気路２１（図１参照）を接続してある。
【００２５】
前記除湿ロータ６は、ロータ本体６ｄに設けた回転軸６ｅにモータ６ｃを直接又は駆動ベルト（図示略）を介して連結させ、ロータ本体６ｄの回転に伴い除湿用送風路１４内に位置する部分を吸着域６ａにすると共に再生用送風路１５内に位置する部分を再生域６ｂにする。なお、除湿ロータ６は、モータ６ｃをケーシグ１９の外側に露出させることもある。ロータ本体６ｄは、例えばシリカゲルにコバルト、鉄、マンガンなどの複数の金属を組み合わせた金属ケイ酸塩ゲルをセラミックスのハニカム積層体内に重合反応させ、かつ、水分子に適合するようにマイクロポア形状を微調整することで水分の吸着性及び脱着性を向上させた直径が２０ｃｍ程度の円筒状の形態に形成され、モータ６ｃで１分間に０．５回転程度するように回転速度が設定される。
【００２６】
前記再生用ヒータ１８は、除湿ロータ６が吸着した水分を再生域６ｂで蒸発させる熱を発生させる発熱量が６００Ｗ／ｈ程度の電気ヒータ等の加熱具からなり、再生用送風路１４における再生域６ｂより上流側に配置され、再生用送風機１７の起動で吸引した浴室内２ａの空気を加熱するようにしてある。再生用ヒータ１８で加熱された空気は、再生用送風路１４を通過するときに除湿ロータ６の再生域６ｂを加熱して水分を蒸発させ、蒸発した水蒸気と共に排気口１１へ導かれて浴室外５へ排出される。
【００２７】
前記制御装置１６は、図１及び図３に示す如く、制御回路を有する制御盤１６ａと、手動の除湿スタート用スイッチ２６を有する操作盤１６ｂとからなり、ケーシグ１８に取付ける等して制御盤１６ａを配置すると共に、浴室２の外側の出入口扉４の近辺に取付ける等して操作盤１６ｂを配置できるようにしてある。制御盤１６ａは、操作盤１６ｂの除湿スタートスイッチ２６をＯＮ操作した除湿スタートの指令に基づいて、除湿動作と換気動作と換気停止動作とをこの順番で実行させるように指令部２７を回路構成してある。除湿動作は、吸気用送風路１０と除湿用送風路１４を連通させるように分岐用ダンパー８のダンパー切替操作具８ｂを操作すると共に吸気用送風機９のモータ９ｂを起動させものである。換気動作は、吸気用送風路１０と除湿用送風路１４の連通を断って連通吸気用送風路１０と排気用送風路１２を連通させるように分岐用ダンパー８のダンパー切替操作具８ｂを操作すると共に、吸気用送風機９のモータ９ｂの起動時間Ｔｓを異臭排出のために既定してある既定時間Ｔｏとしてある。換気停止動作は、吸気用送風機９のモータ９ａを停止させものである。制御盤１６ａは、除湿動作中に、再生用ヒータ１８及び再生用送風機１７を起動させることで、除湿ロータ６の再生域６ｂの水分を蒸発させて浴室外５へ放出するようにしてある。
【００２８】
前記制御装置１６の制御盤１６ａは、異臭排出のための既定時間Ｔｏを予め設定しておくことで、除湿動作の後に浴室内２ａに残留している異臭を換気動作中に排出するようにしてある。既定時間Ｔｏは、除湿ロータ６の吸湿・放湿能力、浴室内２ａの容積及び吸気用送風機９の送風能力に基づいて設定される。既定時間Ｔｏは、制御盤１６ａで設定され、操作盤１６ｂから変更できないようにすることで、使用者により簡単に変更されないようにしてある。既定時間Ｔｏとしては、例えば、一坪の浴室で吸気用送風機９の風量が１３０ｍ3 ／ｈ程度の場合には、５分程度とすることができる。本発明除湿装置１は、除湿動作の終了後に、既定時間Ｔｏだけ換気動作を実行させて換気停止動作へ至ることになり、除湿動作の後で必ず実行される換気動作により、浴室内２ａの空気と共に残留している異臭を浴室外５へ排除することで、快適な入浴を確保させることができる。
【００２９】
前記制御装置１６は、図４に示す如く、換気動作の時間Ｔｓを延長できるようにして、除湿後の昇温した浴室内２ａの温度調節のための換気、開閉窓３や出入口扉４の開度の程度に応じた換気又は洗濯物の浴室乾燥等に適した換気に対処できるようにすることもある。この場合の制御装置１６は、前記既定時間Ｔｏに延長時間Ｔｂを付加した時間を換気動作時における吸気用送風機９のモータ９ａの起動時間Ｔｓ（Ｔｓ＝Ｔｏ＋Ｔｂ）とする換気時間延長部を備え、操作盤１６ｂには、延長時間Ｔｂを設定するための延長時間設定入力部２８を有し、制御盤１６ａの指令部２７には、既定時間Ｔｏに延長時間Ｔｂを付加する加算部を回路構成してある。
【００３０】
延長時間Ｔｂを設定できる場合には、吸気用送風機９のモータ９ｂの起動時間Ｔｓとして、異臭排出のための既定時間Ｔｏを確保させた上で延長させるので、浴室内２ａに異臭を残留させることなく、除湿後の浴室内の温度調節等のために換気動作の時間を使用者の延長設定操作により延長させることが可能となる。
【００３１】
（第２の実施の形態）
図５は本発明除湿装置１の制御装置１６の第２の実施の形態を示すものであり、制御装置１６は、除湿動作後の昇温した浴室内の温度を設定した快適な温度にできるようにしたものであり、吸気用送風路１０、排気用送風路１２又は浴室内２ａに設けた室内用温度センサ３０（図１も参照）と、換気動作終了後の希望する浴室内設定温度値Ｓｏを設定する温度設定部３１と、除湿動作終了後の浴室内温度センサ３０の測定値Ｓｂが温度設定部３１の設定した浴室内設定温度値Ｓｏに達するまで換気動作を実行させる温度制御部３２とを備え、換気動作の実行時間を積算した積算時間が異臭排出のための既定時間Ｔｏに満たないときに、換気動作時における吸気用送風機９のモータ９ａの起動時間Ｔｓを既定時間Ｔｏに達するまで延長させるように指令部２７を回路構成してある。操作盤１６ｂには、浴室内設定温度値Ｓｏを手動で設定すための温度設定部３１を備え、制御盤１６ａには、温度制御部３２を備えてある。本発明除湿装置１は、異臭排出のための既定時間Ｔｏを確保しつつ、除湿動作後の昇温した浴室内温度値が浴室内設定温度値Ｓｏに達するまで換気動作を実行せることができる。
【００３２】
図６は浴室内設定温度値Ｓｏを自動的に設定できる制御装置１６を示すものである。制御装置１６は、外気用温度センサ３５と、各種の外気温度値Ｓａに対する最適浴室内温度値Ｓｏを定めた外気・浴室内温度関係を記憶する記憶部３６とを備え、温度設定部３１が、記憶部３０の記憶する外気・浴室内温度関係に外気用温度センサ３５の検知した外気温度値Ｓａを適用して自動的に求めた最適浴室内温度値Ｓｏを浴室内設定温度値Ｓｏとするように回路構成してある。本例の制御盤１６ａは、記憶部３６、温度設定部３１及び温度制御部３２を備えてある。指令部２７は、図５の場合と同様に、換気動作の実行時間を積算した積算時間が異臭排出のための既定時間Ｔｏに満たないときに、換気動作時における吸気用送風機９のモータ９ａの起動時間Ｔｓを既定時間Ｔｏに達するまで延長させるように回路構成してある。本発明除湿装置１は、異臭排出のための既定時間Ｔｏを確保しつつ、外気温度値Ｓａに基づいて自動的に設定した浴室内設定温度値Ｓｏに達するまで換気動作を実行せることができる。
【００３３】
（第３の実施の形態）
図７は、本発明除湿装置１の制御装置１６の第３の実施の形態を示すものであり、開閉窓や出入口扉の開度等で換気条件が変化しても残留している異臭を確実に排出できるようにしたものである。
【００３４】
本実施の形態に係る本発明除湿装置１は、図１に示す如く、回転に伴い水分を吸着する吸着域６ａと水分を放出する再生域６ｂとに区分される除湿ロータ６と、浴室内２ａに連通できる吸引口７から分岐用ダンパー８へ至る途中に吸気用送風機９を配した吸気用送風路１０と、分岐用ダンパー８から分岐して浴室外５に連通できる排気用送風路１２と、分岐用ダンパー８から分岐して除湿ロータ６の吸着域６ａを通過して浴室内２に連通できる吹出口１３へ至る除湿用送風路１４と、除湿ロータ６の再生域６ｂを通過する再生用送風路１５とを備えている。これら除湿ロータ６、吸気用送風路１０、排気用送風路１２、除湿用送風路１４及び再生用送風路１５の内容については、前記第１の実施の形態と実質的に同一であるため、ここでの説明を省略する。
【００３５】
吸気用送風機９のモータ９ｂ及び分岐用ダンパー８の切替操作具８ｂを制御する制御装置１６は、図７に示す如く、換気動作時における排気用送風路１２を通過する風量（吸気用送風路１０を通過する風量と同量）を積算する風量積算部３８を備え、除湿スタートの指令に基づいて、吸気用送風路１０と除湿用送風路１４を連通させるように分岐用ダンパー８の切替操作具８ｂを操作すると共に吸気用送風機９のモータ９ｂを起動させる除湿動作と、吸気用送風路１０と排気用送風路１２を連通させるように分岐用ダンパー８の切替操作具８ｂを操作すると共に風量積算部３８の積算した換気体積値Ｕａが異臭排出のために予め既定した既定体積値に達するまで吸気用送風機９のモータ９ｂを起動させる換気動作と、吸気用送風機９のモータ９ａを停止させる換気停止動作とをこの順番で強制的に実行させるように指定部２７を回路構成してある。
【００３６】
前記風量積算部３８は、換気動作時における排気用送風路１２又は吸気用送風路１０の通過風速を測定する風速センサ３８ａ（図１も参照）と、風速センサ３８ａの測定値に基づいて換気動作時における排気用送風路１２の通過風量（吸気用送風路１０を通過風量と同量）を求めて積算する演算部３８ｂとからなり、演算部３８ｂを制御盤１６ａに備えてある。
【００３７】
本実施の形態に係る本発明除湿装置１は、換気風量値Ｕａが異臭排出のための予め既定した既定体積値に達するまで換気動作を実行させることで、開閉窓３や出入口扉４の開度等で換気条件が変化しても異臭を排除するための換気体積を確保して、浴室内２ａに残留している異臭を確実に排出できる。
【００３８】
（第４の実施の形態）
図８に示す第４の実施の形態に係る本発明除湿装置５１が前記第１の実施の形態に係る本発明除湿装置１（図１及び図２参照）と大きく相違する点は、除湿ロータ６の吸着域６ａで吸着した水分を再生域６ｂで脱着させる再生用送風路５２を閉じた経路にすることで、再生用送風路５２内で空気を循環させるようにしたことである。再生用送風路５２は、除湿ロータ６の再生域６ｂを通過するように構成され、再生域６ｂより上流側に再生用ヒータ１８を配置すると共に、再生域６ｂより下流側で熱交換器５３の高温側５３ｈを通過させ、再生域６ｂと熱交換器５３の間に再生用送風機１７を配置してある。再生用送風路５２は、再生用ヒータ１８で加熱した空気が除湿ロータ６の再生域６ｂを通過するときに再生域６ｂの水分を蒸発させ、水蒸気を含んだ高湿度空気が熱交換器５３の高温側５３ｈを通過するようにしてある。
【００３９】
上記熱交換器５３は、除湿用送風路１４における除湿ロータ６の吸着域６ａと吹出口１３の間の部分が低温側５３ｃを通過するようにし、低温側の除湿用送風路１４と高温側の再生用送風路５２の間で熱交換させ、高温側の再生用送風路５２に含まれている水蒸気を低温側の除湿用送風路１４を通過する低温度空気で冷却して凝縮させ、結露水をドレン配管５４で浴室内２ａ等の適所へ排出させるようにしてある。
【００４０】
本実施の形態に係る本発明除湿装置５１に備えた制御装置１６は、前記第１乃至３の実施の形態と同一のものが採用される。
【符号の説明】
【００４１】
１（５１）…本発明浴室用除湿装置、２…浴室、２ａ…室内、３…開閉窓、４…出入口扉、５…浴室外、６…除湿ロータ、６ａ…吸着域、６ｂ…再生域、６ｃ…モータ、６ｄ…ロータ本体、６ｅ…回転軸、７…吸引口、８…分岐用ダンパー、８ａ…本体、８ｂ…ダンパー切替操作具、９…吸気用送風機、９ａ…ファンロータ、９ｂ…モータ、１０…吸気用送風路、１１…排気口、１２…排気用送風路、１３…吹出口、１４…除湿用送風路、１５…再生用送風路、１６…制御装置、１６ａ…制御盤、１６ｂ…操作盤、１７……再生用送風機、１７ａ…ファンロータ、１７ｂ…モータ、１８…再生用ヒータ、１９…ケーシング、２０…再生用吸気口、２１…延長排気路、２３…グリル、２４…浴槽、２５…天井、２６…除湿スタートスイッチ、２７…指令部、２８…換気時間延長部、２８ａ…設定入力部、２８ｂ…加算部、３０…浴室用温度センサ、３１…温度設定部、３２…温度制御部、３５…外気用温度センサ、３６…記憶部、３８…風量積算部、３８ａ…風速センサ、３８ｂ…演算部、４１…湿度センサ、５２…再生用送風路、５３…熱交換器、５３ｈ…高温側、５３ｃ…低温側、５４…ドレン配管、Ｓｂ…測定値（浴室内）、Ｓｏ…浴室内設定温度値、Ｔｂ…積算時間、Ｔｓ…モータ９ｂの起動時間、Ｔｏ…既定時間、Ｔｂ…延長時間、Ｕａ…換気風量値、Ｕｏ…既定風量値
【図１】
0005467965.tif 000002
【図２】
0005467965.tif 000003
【図３】
0005467965.tif 000004
【図４】
0005467965.tif 000005
【図５】
0005467965.tif 000006
【図６】
0005467965.tif 000007
【図７】
0005467965.tif 000008
【図８】
0005467965.tif 000009